(57)【要約】      （修正有）【課題】フレキシブル基板をリブで規制することにより、ヒンジ回動時に発生する、フレキシブル基板への余計な屈曲力及び音鳴りを解決する優れた折畳み電子機器を提供する。【解決手段】第１、第２の筐体を互いに回動自在に構成するヒンジ部と、前記ヒンジ部に同軸に形成され、前記第１、第２の筐体にそれぞれ内蔵される第１、第２のプリント基板を互いに電気的に接続するフレキシブル基板の回動部分を収納する筒状部と、前記筒状部の内側に設けられ、前記フレキシブル基板１８を押圧する第１のリブ１７とを有する。フレキシブル基板引き出し用案内部15に第一のリブが設けられている。第一のリブはフレキシブル基板のうち、中間ケース２ｃ通るときに屈曲する屈曲部１８aを押圧し、中間ケースの内側面とフレキシブル基板とのクリアランスを確保する。【選択図】図３Ａ
2008182522.tif 000002
【特許請求の範囲】
【請求項１】
第１、第２の筐体を互いに回動自在に構成するヒンジ部と、前記ヒンジ部に同軸に形成され、前記第１、第２の筐体にそれぞれ内蔵される第１、第２のプリント基板を互いに電気的に接続するフレキシブル基板の回動部分を収納する筒状部と、前記筒状部の内側に設けられ、前記フレキシブル基板を押圧する第１のリブを備えた折畳み式電子機器。
【請求項２】
前記フレキシブル基板の回動部分を押圧する筒状部の内側に設けた第１のリブと、前記フレキシブル基板引出し口から所定の距離離れた位置に構成された、前記フレキシブル基板の位置を規制する第２のリブを具備し、前記第１のリブおよび前記第２のリブによって、前記フレキシブル基板を筒状部の内部で位置規制することを特徴とする請求項１記載の折畳み式電子機器。
【請求項３】
前記フレキシブル基板は前記筒状部の回動軸を通過することを特徴とする請求項１乃至請求項２記載の折畳み式電子機器。
【請求項４】
前記ヒンジ部は前記フレキシブル基板の引き出し口を有し、
前記第１の筐体は、前記引き出し口から所定の距離離れた位置に第３のリブを設けたことを特徴とする請求項１乃至請求項３折畳み式電気機器。
【発明の詳細な説明】
【技術分野】
【０００１】
本発明は、第１の筐体および第２の筐体を有し、これらの筐体をヒンジ部により互いに回動自在に構成した折畳み式電子機器に関する。
【背景技術】
【０００２】
一般に、第１、第２の筐体を互いに回動自在に構成した折畳み式の電気機器は、携帯電話、ＰＤＡ、その他の機器で知られている。
【０００３】
ところで、これら機器において、第１、第２の筐体にはそれぞれプリント基板、電子部品などが収納されており、これらを互いに電気的に接続するために、フレキシブル基板が多く用いられている。この場合、フレキシブル基板が直接外部に露出しないようにするために、ヒンジ部に同軸上に筒状部を形成し、この筒状部にフレキシブル基板を収納している。この、フレキシブル基板が第１、第２の筐体回動によって屈曲され切断されるのを防止するために、前記筒状部の内部においてフレキシブル基板を１回転捲回したり、筒状部の内面に滑り促進部材を追加することにより、フレキシブル基板に屈曲力が作用しないようにしたりしている。また、１回転捲回しないフレキが筒状部内に収納される場合には、筒状内径をフレキ幅にあわせた最小径にすることにより、製品を小型化していた（例えば、特許文献１参照）。
【０００４】
また、第１の上部ヒンジ部材と第１の下部ヒンジ部材の接合面に立ち壁のリブを設けることにより、防水構造にしていた（例えば、特許文献２参照）。
【特許文献１】特開２００３−１９８１５６号公報
【特許文献２】特許第３７４１９４８号公報
【発明の開示】
【発明が解決しようとする課題】
【０００５】
しかしながら、このようにヒンジ部に同軸上に筒状部を形成し、この筒状部にフレキシブル基板を１回転捲回した状態で収納した場合には、筒状部自体の径を大きくしたり、別部品を追加しないとフレキシブル基板に大きな湾曲力が作用し、筒状部、ヒンジ部を小さく構成することが出来ないという問題があった。
【０００６】
また、第１の上部ヒンジ部材と第１の下部ヒンジ部材の接合面に立ち壁がある場合には、防水構造ではあるが、筒状部内でフレキシブル基板へ余計な屈曲力がかかることにより、筒状部内側にぶつかることによる音鳴りが発生する可能性が高いものであった。
【０００７】
本発明は、上記従来の事情に鑑みてなされたものであって、ヒンジ部の径を小さくしてもフレキシブル基板に余計な屈曲力が作用せず、第１、第２の筐体の回動時にフレキシブル基板と筒状内部の接触による音鳴りや、フレキシブル基板に余計な屈曲力が発生せず、損傷しない優れた折畳み電子機器を提供することを目的としている。
【課題を解決するための手段】
【０００８】
第１、第２の筐体を互いに回動自在に構成するヒンジ部と、前記ヒンジ部に同軸に形成され、前記第１、第２の筐体にそれぞれ内蔵される第１、第２のプリント基板を互いに電気的に接続するフレキシブル基板の回動部分を収納する筒状部と、前記筒状部の内側に設けられ、前記フレキシブル基板を押圧する第１のリブを備えた構成とした。
【０００９】
この構成により、フレキシブル基板が第１、第２の筐体の回動により変形しても、筒状部の内側にフレキシブル基板を押圧する第１のリブが設けられているため、前記第１のリブにフレキシブル基板が接することにより筒状部の内側で一定のクリアランスを保証することができ、全体としてスムーズに動くことになるため、余計な屈曲力が発生せず、フレキシブル基板が筒状部の内壁に接することによる切断や、破損したりするのを容易に防止することができる。
【００１０】
また、本発明は前記フレキシブル基板の回動部分を押圧する筒状部の内側に設けた第１のリブと、前記フレキシブル基板引出し口から所定の距離はなれた位置に構成された、前記フレキシブル基板の位置を規制する第２のリブを具備し、前記第１のリブおよび前記第２のリブによって、前記フレキシブル基板を筒状部の内部で位置規制する構成とした。
【００１１】
この構成により、フレキシブル基板が第１、第２の筐体の回動により変形しても、筒状部の内側にフレキシブル基板を押圧する第１のリブが設けられているため、前記第１のリブにフレキシブル基板が接することにより筒状部の内側で一定のクリアランスを保証することができ、全体としてスムーズに動くことになるため、余計な屈曲力が発生せず、フレキシブル基板が筒状部の内壁に接することによる切断や、破損したりするのを容易に防止することができる。
【００１２】
また、前記第２のリブによりフレキシブル基板を引出し口から所定の位置離れた位置に規制したため、前記フレキシブル基板を筒状内部で位置規制することができ、全体としてスムーズに動くことになるため、余計な屈曲力が発生せず、フレキシブル基板が筒状部の内壁に接することによる切断や、破損したりするのを容易に防止できる。
【００１３】
また本発明は、前記フレキシブル基板が前記筒状部の回動軸を通過する構成とした。
【００１４】
この構成により、ヒンジ部筒状の内径を、フレキシブル基板のフレキ幅にあわせて最小にすることができ、またフレキシブル基板は筒状部の内側に構成された回動軸を通過させる前記第１の押圧リブが設けられているため、前記第１のリブにフレキシブル基板が接することにより筒状部の内側で一定のクリアランスを保証することが出来、また、前記第２のリブによりフレキシブル基板を引出し口から所定の位置離れた位置に規制したため、前記フレキシブル基板を筒状内部で位置規制することができ、全体としてスムーズに動くことになるため、余計な屈曲力が発生せず、フレキシブル基板が筒状部の内壁に接することによる切断や、破損したりするのを容易に防止できる。
【００１５】
また本発明は、前記ヒンジ部は前記フレキシブル基板の引き出し口を有し、前記第１の筐体は、前記引き出し口から所定の距離離れた位置に第３のリブを設けた構成とした。
【００１６】
この構成により、第１、第２の筐体を構成する筒状内部を通過するフレキシブル基板の位置を第３のリブにより微調することができるため、前記フレキシブル基板を筒状内部で位置規制して、全体としてスムーズに動くことになるため、フレキシブル基板が筒状部の内壁に接することによって発生する音鳴りや、フレキシブル基板の破損を容易に防止でき、第１の筐体、第２の筐体を互いに回動させた時のフレキシブル基板の屈曲寿命が長くなるという作用を有する。
【発明の効果】
【００１７】
本発明によれば、フレキシブル基板が筒状の回動軸を通ることが出来、フレキシブル基板がスムーズに動き、余計な屈曲力が作用せず、フレキシブル基板が切断したり、破損したりするのを容易に防ぐことが出来、充分な寿命を保つことが可能となる。また、第１の筐体の下ケースにフレキシブル基板の位置を調整することができるリブを備えているため、筒状内部でのヒンジフレキの位置を調整でき、筒状部内部で一定のクリアランスを保持するため、ヒンジ回動時に筒状部の内側に接触することで発生する音鳴りを防ぐことが可能となる。
【発明を実施するための最良の形態】
【００１８】
以下、本発明の実施の形態について図面を用いて説明する。図１は、本発明の一実施の形態における折畳み電子機器の斜視図、図２は同電子機器の要部分解斜視図、図３は、同電子機器を分解した各部の詳細図、図４は同電子機器の要部の断面図である。
【００１９】
図１において、折畳み式電子機器である携帯電話機は、第１の筐体１と、第２の筐体２と、これらを互いに回動自在にするヒンジ部３とを備えている。第１の筐体は、互いに係合する上ケース１a、下ケース1bで構成され、第１の上ケース１aには、ファンクションキー４、テンキー５、送話用の音孔６、下ケース１bには呼出音発生用の音孔７などが設けられている。第２の筐体は、上ケース２a、下ケース２bで構成され、第２の筐体の上ケースには、液晶表示器８、受話用の音孔９などが設けられ、下ケース２bには充電を指し示すＬＥＤ１０が設けられ、上ケース２aと下ケース２bの中間にヒンジ部を収納する筒状の中間ケース２cが設けられている。
【００２０】
図２は、図１のヒンジ部３を詳細に示した図である。図１におけるヒンジ部３は、図２に示すように第１の筐体を構成する上ケース１aに一体に形成された第１の軸受部１１a、１１bと、第２の筐体を構成する筒状中間ケース２cとこれらの軸受部１１a、１１b、２cに形成した透孔１２a、１２b、１３a、１３b、にそれぞれ貫通するように収納された第１の軸１４aと、第２の軸１４bによって構成されている。第１の筐体１と第２の筐体を開閉した際には、中間ケース２ｃが軸部１４aおよび軸部１４ｂに対して回動する。
【００２１】
図３Ａから図３Ｄは、本発明の携帯電話機の要部の分解斜視図を示す。図３Ａは本発明の折畳み式電子機器の第２筐体２とヒンジ部３の分解図を表している。第１筐体１、第２筐体２には、図３Ｂに示すようにそれぞれキーボードを構成する接点や液晶表示器８を駆動する電気回路、その他の回路を構成する各種電気部品を取付けた第１、第２のプリント基板２０a、２０bが収納されている。
【００２２】
図３Ａにおいてフレキシブル基板１８は、中間ケース２ｃの内部を通る。中間ケース２ｃにはフレキシブル基板引き出し用案内部１５が設けられており、フレキシブル基板１８はこのフレキシブル基板引き出し用案内部１５から引き出されて第２ケースに案内される。また、フレキシブル基板１８は、図３Ｂに示すように中間部においてクランク形状を有する。このクランク形状の部分により、フレキシブル基板引き出し用案内部から案内されたフレキシブル基板１８が、中間ケース２ｃ内を通り、軸部１４ｂに設けられた筐体１側へのフレキシブル基板引き出し用案内部から筐体１側へ引き出されることになる。
【００２３】
このようにして、フレキシブル基板が直接外部に露出しないように、ヒンジ部に同軸上に筒状部を形成し、この筒状部にフレキシブル基板を収納している。
【００２４】
本発明に係る携帯電話機は、図３Ａに示すように、フレキシブル基板引き出し用案内部１５に第１のリブ１７が設けられている。第１のリブ１７はフレキシブル基板１８のうち、中間ケース２ｃを通るときに屈曲する屈曲部１８aを押圧し、中間ケース２ｃの内側面と、フレキシブル基板とのクリアランスが確保されるように構成する。
【００２５】
第１のリブ１７により、中間ケース２ｃの内部においてクリアランスが確保される様子を図４のＡ−Ａ、Ｂ−Ｂ断面図にて説明する。図４のＡ―Ａ断面図より、第１のリブ１７は、フレキシブル基板１８の屈曲部１８aを押圧し、屈曲部１８aを中間ケース２ｃ内部の略中央部に位置させることにより、フレキシブル基板１８と中間ケース２ｃの内側面との間にクリアランスが確保される。
【００２６】
さらに図４のＢ−Ｂ断面図に示すように、第１のリブ１７がフレキシブル基板１８の屈曲部１８aを押圧することにより、中間ケース２ｃの内部を通るフレキシブル基板のクリアランスが確保される。
【００２７】
またこの構成により、ヒンジ部筒状の内径を、フレキシブル基板のフレキ幅にあわせて最小にすることができる。
【００２８】
また、図３Ａにおいて、第２の筐体を構成する筒状の中間ケース２cは、一体に形成されたフレキシブル基板引出し用案内部１５と前記案内部１５から所定の距離ｓ（例えば３ｍｍ）離れた位置にあるフレキシブル基板１８の位置を規制する第２のリブ１６a、１６bを備えている。フレキシブル基板１８には、位置決め穴１８bが設けられており、前記第２のリブ１６a、１６bと係合することにより、フレキシブル基板１８の位置が規制される。
【００２９】
この構成により、前記第２のリブによりフレキシブル基板を引出し口から所定の位置離れた位置に規制したため、前記フレキシブル基板を筒状内部で位置規制することができ、全体としてスムーズに動くことになるため、余計な屈曲力が発生せず、フレキシブル基板が筒状部の内壁に接することによる切断や、破損したりするのを容易に防止できる。
【００３０】
図３Ｃは、第１の筐体の上ケース１aの筐体内側部を示す斜視図である。図３ｃにおいて第１の筐体を構成する筒状部１９は、上ケース１aに一体に形成されている。筒状部１９に軸部１４ｂが格納されるように構成する。
【００３１】
図３Ｄは、第１の筐体の下ケース１ｂの筐体内側部を示す斜視図である。第１の筐体を構成する下ケース１bには第１筐体側から第２筐体側に引出されたフレキシブル基板１８cの位置を調整する第３リブ２１とで構成されている。第３のリブ２１は、図３Ｃに示す筒状部から所定の距離に設けられる。
【００３２】
第３のリブ２１により、図４の携帯電話機のＣ−Ｃ断面図において示すように、フレキシブル基板の第１筐体引き出し部１８ｃが第３のリブ２１により位置規制される。
【００３３】
以上、図３、４に示すように、フレキシブル基板１８は、両端がそれぞれ第１、第２のプリント基板２０a、２０bに接続され、フレキシブル基板の位置決め穴１８bと前記第２のリブ１６a、１６bとで位置を規制され、前記第１のリブ１７がフレキシブル基板屈曲部１８aを押圧することにより略回動軸を通り、筒状のケース２cの内側、及び第２筐体側へのフレキシブル基板の引出し口を備えている１４bの筒状内側を一定のクリアランスｔ（例えば０．５ｍｍ）を保証するように、第１、第２筒状部１９、２cに収納されている。そして、プリント基板２０a、２０bをそれぞれ第１、第２の筐体１、２の所定の位置に取付けたとき、それぞれ第１、第２の筐体に収納される。
【００３４】
このように、本実施の形態は、第２の筐体を構成する筒状の中間ケース２cに一体に形成されたフレキシブル基板引出し用案内部１５とフレキシブル基板１８の位置を規制する第２のリブ１６a、１６bと、フレキシブル基板１８の位置が第１、第２の筐体の回動により変化しても、筒状の中間ケース２cの内側にフレキシブル基板１８aを押圧する第１のリブ１７が設けられているため、前記第１のリブにフレキシブル基板１８aが接することにより筒状部の内側で一定のクリアランスを保証することができ、全体としてスムーズに動くことになるため、余計な屈曲力が発生せず、フレキシブル基板が筒状部の内壁に接することによる切断や、破損したりするのを容易に防止できる。
【００３５】
また、本実施の形態によれば、フレキシブル基板１８の第１筐体の下ケース１bに第２筐体側から第１筐体側に引出された第１筐体引き出し部１８ｃの位置を規制する第３のリブ２１を有しているため、フレキシブル基板１８が筒状の中間ケース２c内で一定のクリアランスを保ち、スムーズな動きをするため、フレキシブル基板が筒状内部で干渉することにより発生する音鳴りを防止でき、その分フレキシブル基板１８の屈曲寿命が長くすることができる。
【産業上の利用可能性】
【００３６】
本発明は、折り畳み式の電子機器である携帯電話機や、ＰＤＡ、ゲーム機等において利用可能である。
【図面の簡単な説明】
【００３７】
【図１】本発明の折畳み電子機器の斜視図
【図２】本発明の折畳み電子機器の要部分解斜視図
【図３Ａ】本発明の折畳み電子機器の第２筐体とヒンジ部３の要部分解斜視図
【図３Ｂ】本発明の折畳み電子機器のフレキシブル基板で接続されたプリント基板の正面図
【図３Ｃ】本発明の折畳み電子機器の第１筐体の上ケースの内側から見た斜視図
【図３Ｄ】本発明の折畳み電子機器の第１筐体の下ケースの内側から見た斜視図
【図４】本発明の実施の形態における折畳み電子機器の要部断面図
【符号の説明】
【００３８】
１    第１の筐体
１a    上ケース
１a    下ケース
２    第２の筐体
２a    上ケース
２b    下ケース
２c    筒状の中間ケース
３    ヒンジ部
４    ファンクションキー
５    テンキー
６    送話用音孔
７    呼出音発生用音孔
８    液晶表示器
９    受話用音孔
１０    ＬＥＤ
１１a、１１b    軸受部
１２a、１２b、１３a、１３b    透孔
１４a、１４b    軸
１５    フレキシブル基板引出し用案内部
１６a、１６b    フレキシブル基板位置規制第２のリブ
１７    フレキシブル基板を押圧する第１のリブ
１８    フレキシブル基板
１８b    フレキシブル基板の屈曲部（１７に押圧される箇所）
１８c    フレキシブル基板の第１筐体引き出し部（２１に押圧される箇所）
１９    第１筐体上ケースの筒状部
２０a、２０b    プリント基板
２１    フレキシブル基板の引き出し部の位置を調整する第３のリブ
【図１】
2008182522.tif 000003
【図２】
2008182522.tif 000004
【図３Ａ】
2008182522.tif 000005
【図３Ｂ】
2008182522.tif 000006
【図３Ｃ】
2008182522.tif 000007
【図３Ｄ】
2008182522.tif 000008
【図４】
2008182522.tif 000009